(57)【特許請求の範囲】
【請求項１】
各楽曲について歌唱区間毎に、歌唱者による歌唱を当該歌唱区間に合わせて少なくとも歌唱したピッチに対して歌唱すべきピッチを示すリファレンスピッチとの関係で分析する分析基準としてのリファレンスデータを備えるカラオケ装置であって、
歌唱者による所定楽曲の歌唱音声を歌唱音声データとして記録する記録手段と、
当該楽曲の歌唱区間毎に、前記記録した歌唱音声データの歌唱ピッチを検出し、前記リファレンスデータの対応するリファレンスピッチと比較してピッチ差分を算出し、ピッチ差分が許容範囲内か否かにより各歌唱区間の歌唱ピッチが要修正か修正不要かを判定する判定手段と、
前記判定手段による該当歌唱区間の要修正の歌唱ピッチを前記リファレンスデータの対応するリファレンスピッチに基づいて修正した基準模範音声データを作成する修正手段と、
前記判定結果に基づいて、当該楽曲の全歌唱区間のうち最も高いリファレンスピッチに対応する歌唱音声データの歌唱ピッチが要修正である場合に、当該リファレンスピッチと対応する歌唱音声データの歌唱ピッチを歌唱者の歌唱可能な歌唱上限ピッチとして特定する特定手段と、
当該楽曲の全歌唱区間のうち最も高いリファレンスピッチと前記特定手段で特定した歌唱上限ピッチとのピッチ差分に基づいた半音単位の移調量で、前記基準模範音声データの全歌唱区間を低い方に移調して移調模範音声データとする移調手段と、
を有することを特徴とするカラオケ装置。
【請求項２】
各楽曲について歌唱区間毎に、歌唱者による歌唱を当該歌唱区間に合わせて少なくとも歌唱したピッチに対して歌唱すべきピッチを示すリファレンスピッチとの関係で分析する分析基準としてのリファレンスデータを備えるカラオケ装置であって、
歌唱者による所定楽曲の歌唱音声を歌唱音声データとして記録する記録手段と、
当該楽曲の歌唱区間毎に、前記記録した歌唱音声データの歌唱ピッチを検出し、前記リファレンスデータの対応するリファレンスピッチと比較してピッチ差分を算出し、ピッチ差分が許容範囲内か否かにより各歌唱区間の歌唱ピッチが要修正か修正不要かを判定する判定手段と、
前記判定手段による該当歌唱区間の要修正の歌唱ピッチを前記リファレンスデータの対応するリファレンスピッチに基づいて修正した基準模範音声データを作成する修正手段と、
前記判定結果に基づいて、当該楽曲の全歌唱区間のうち最も高いリファレンスピッチに対応する歌唱音声データの歌唱ピッチが要修正である場合に、当該判定結果による修正不要の歌唱ピッチのうち最も高い歌唱ピッチを歌唱者の歌唱可能な歌唱上限ピッチとして特定する特定手段と、
当該楽曲の全歌唱区間のうち最も高いリファレンスピッチと前記特定手段で特定した歌唱上限ピッチとのピッチ差分に基づいた半音単位の移調量で、前記基準模範音声データの全歌唱区間を低い方に移調して移調模範音声データとする移調手段と、
を有することを特徴とするカラオケ装置。
【請求項３】
請求項１又は２に記載のカラオケ装置であって、
楽曲の演奏データを前記移調手段で決定された移調量で移調して再生する演奏再生手段を備え、
前記移調手段は、さらに、前記記録した歌唱音声データの全歌唱区間を前記移調量で移調すると共に、前記演奏再生手段に当該楽曲の演奏データを当該移調量で移調して再生するよう制御することを特徴とするカラオケ装置。
【請求項４】
請求項３記載のカラオケ装置であって、前記移調された歌唱音声データ及び演奏データ、又は、前記移調模範音声データ及び前記移調された演奏データとを選択的に聴取させる選択手段を備えることを特徴とするカラオケ装置。
【発明の詳細な説明】
【技術分野】
【０００１】
本発明は、歌唱者の歌唱に対する模範的な歌唱音声データを作成して提供する手段を備えるカラオケ装置に関する。
【背景技術】
【０００２】
近年、カラオケ装置の高機能化に伴い種々のサービスを提供できるようになっている。例えば、歌唱者の歌唱力の向上を図るために、歌唱者の歌唱に対する模範的な歌唱音声データを作成して聴取可能とするサービスもその一つである。このような模範的な歌唱を提供するに際しては歌唱者が歌唱できる音域での模範的な歌唱とさせることが望まれる。
【０００３】
従来、カラオケ装置には、利用者の歌唱音声データを模範音声データと比較して採点し、また歌唱音声データを記憶することができるものも知られており、例えば、伴奏の再生とともにマイク入力された歌唱音声データを記憶するとともに歌唱音声データと模範音声データとの比較により歌唱力を評価し、正しく歌唱できなかった区間について歌唱音声と模範音声とを聞き比べることができる技術が知られている（特許文献１）。
【０００４】
この場合、模範音声データは、プロのシンガーなど歌唱力の優れた歌唱者によって歌唱されることが多く、聞き比べに際してはプロシンガーではなく、利用者自身の声で歌唱された模範音声であることが歌唱力向上のためには望ましい。そのため、利用者による歌唱音声データを、模範的な歌唱のデータのピッチに基づいて補正することができる技術も開示されており（特許文献２）、特許文献１の技術に特許文献２の技術を用いることで、利用者自身の声で歌唱された模範音声と聞き比べることができることとなる。
【０００５】
一方、利用者には歌唱に際しての自身の声域というものがあり、歌唱者の声域を測定して告知する機能を備えるカラオケ装置も提供されており（特許文献３）、測定された声域に応じてキー設定することができるようになっている。
【先行技術文献】
【特許文献】
【０００６】
【特許文献１】特開２００８−２３３７３６号公報
【特許文献２】特開平１１−０３８９８７号公報
【特許文献３】特開２００４−３２６１３３号公報
【発明の概要】
【発明が解決しようとする課題】
【０００７】
しかしながら、上記特許文献２の技術を用いて歌唱音声のピッチを修正する場合、単に歌唱ピッチが精確であればよいというだけでなく、歌唱を練習する際の模範として利用できる必要があることから、ピッチを修正した結果、利用者の声域（特に歌唱上限ノート）を超えてしまうと利用者はその部分を歌唱することができず、模範的な歌唱としては不適当であるという問題がある。
【０００８】
また、特許文献３などの技術を用いて歌唱者の声域を測定しておき、当該測定結果に基づいてキーを設定してから歌唱することが考えられるが、この技術における歌唱は声域測定を目的とした歌唱であって歌唱中にキー変更を繰り返すため、歌唱音声データから模範音声データを生成するための歌唱には不適であり、もう一度最適なキーで歌唱し直さねばならないという問題がある。
【０００９】
そこで、本発明は上記課題に鑑みなされたもので、歌唱者による一度の歌唱で、歌唱者自身の声による模範音声データを歌唱者の声域で歌唱可能に作成し得るカラオケ装置を提供することを目的とする。
【課題を解決するための手段】
【００１０】
上記課題を解決するために、請求項１の発明では、各楽曲について歌唱区間毎に、歌唱者による歌唱を当該歌唱区間に合わせて少なくとも歌唱したピッチに対して歌唱すべきピッチを示すリファレンスピッチとの関係で分析する分析基準としてのリファレンスデータを備えるカラオケ装置であって、歌唱者による所定楽曲の歌唱音声を歌唱音声データとして記録する記録手段と、当該楽曲の歌唱区間毎に、前記記録した歌唱音声データの歌唱ピッチを検出し、前記リファレンスデータの対応するリファレンスピッチと比較してピッチ差分を算出し、ピッチ差分が許容範囲内か否かにより各歌唱区間の歌唱ピッチが要修正か修正不要かを判定する判定手段と、前記判定手段による該当歌唱区間の要修正の歌唱ピッチを前記リファレンスデータの対応するリファレンスピッチに基づいて修正した基準模範音声データを作成する修正手段と、前記判定結果に基づいて、当該楽曲の全歌唱区間のうち最も高いリファレンスピッチに対応する歌唱音声データの歌唱ピッチが要修正である場合に、当該リファレンスピッチと対応する歌唱音声データの歌唱ピッチを歌唱者の歌唱可能な歌唱上限ピッチとして特定する特定手段と、当該楽曲の全歌唱区間のうち最も高いリファレンスピッチと前記特定手段で特定した歌唱上限ピッチとのピッチ差分に基づいた半音単位の移調量で、前記基準模範音声データの全歌唱区間を低い方に移調して移調模範音声データとする移調手段と、を有する構成とする。
【００１１】
請求項２の発明では、各楽曲について歌唱区間毎に、歌唱者による歌唱を当該歌唱区間に合わせて少なくとも歌唱したピッチに対して歌唱すべきピッチを示すリファレンスピッチとの関係で分析する分析基準としてのリファレンスデータを備えるカラオケ装置であって、歌唱者による所定楽曲の歌唱音声を歌唱音声データとして記録する記録手段と、当該楽曲の歌唱区間毎に、前記記録した歌唱音声データの歌唱ピッチを検出し、前記リファレンスデータの対応するリファレンスピッチと比較してピッチ差分を算出し、ピッチ差分が許容範囲内か否かにより各歌唱区間の歌唱ピッチが要修正か修正不要かを判定する判定手段と、前記判定手段による該当歌唱区間の要修正の歌唱ピッチを前記リファレンスデータの対応するリファレンスピッチに基づいて修正した基準模範音声データを作成する修正手段と、前記判定結果に基づいて、当該楽曲の全歌唱区間のうち最も高いリファレンスピッチに対応する歌唱音声データの歌唱ピッチが要修正である場合に、当該判定結果による修正不要の歌唱ピッチのうち最も高い歌唱ピッチを歌唱者の歌唱可能な歌唱上限ピッチとして特定する特定手段と、当該楽曲の全歌唱区間のうち最も高いリファレンスピッチと前記特定手段で特定した歌唱上限ピッチとのピッチ差分に基づいた半音単位の移調量で、前記基準模範音声データの全歌唱区間を低い方に移調して移調模範音声データとする移調手段と、を有する構成とする。
【００１２】
請求項３、４の発明では、「前記移調手段は、さらに、前記記録した歌唱音声データの全歌唱区間を前記移調量で移調すると共に、当該楽曲の演奏データを当該移調量で移調する」構成とし、
「前記移調された歌唱音声データ及び演奏データ、又は、前記移調模範音声データ及び前記移調された演奏データとを選択的に聴取させる選択手段を備える」構成とする。
【発明の効果】
【００１３】
請求項１、２の発明によれば、楽曲の歌唱区間毎に、歌唱音声データの歌唱ピッチを検出し、リファレンスピッチと比較してピッチ差分を算出してピッチ差分が許容範囲内か否かにより各歌唱区間の歌唱ピッチが要修正か修正不要かを判定し、要修正の歌唱ピッチをリファレンスデータに基づいて修正した基準模範音声データを作成すると共に、判定結果に基づいて、当該楽曲の全歌唱区間のうち最も高いリファレンスピッチに対応する歌唱音声データの歌唱ピッチが要修正である場合に、当該リファレンスピッチと対応する歌唱音声データの歌唱ピッチ、又は、当該判定結果による修正不要の歌唱ピッチのうち最も高い歌唱ピッチを歌唱者の歌唱可能な歌唱上限ピッチとして特定し、当該リファレンスピッチと上記特定した歌唱上限ピッチとのピッチ差分に基づいた半音単位の移調量で、基準模範音声データの全歌唱区間を低い方に移調して移調模範音声データとする構成とすることにより、修正後の基準模範音声データの最高ノートのピッチが歌唱者の上限のピッチを超えないような移調模範音声データとさせることから、歌唱者による一度の歌唱で、歌唱者自身の声による模範音声データを歌唱者の声域で歌唱可能に提供することができるものである。
【００１４】
請求項３、４の発明では、移調手段において歌唱音声データの全歌唱区間を上記決定した移調量で移調すると共に、演奏再生手段に対して当該楽曲の演奏データをも当該移調量で移調させ、当該移調された歌唱音声データ及び演奏データ、又は、移調模範音声データ及び移調された演奏データとを選択的に聴取させる構成とすることにより、利用者に対して歌唱可能な模範歌唱との聴き比べを可能として利用者の便に資することができるものである。
【図面の簡単な説明】
【００１５】
【図１】本発明に係るカラオケ装置のブロック構成図である。
【図２】図１の判定手段の処理フローチャート及び判定結果の説明図である。
【図３】図１の特定手段の処理フローチャートである。
【図４】図１の移調手段の処理フローチャートである。
【図５】図４の移調手段の処理説明図である。
【図６】図１の特定手段の他の処理フローチャートである。
【図７】図６の処理に基づく移調手段の処理説明図である。
【発明を実施するための形態】
【００１６】
以下、本発明の実施形態を図により説明する。
図１に、本発明に係るカラオケ装置のブロック構成図を示す。図１において、各カラオケ端末１１は、主要装置としてのカラオケ本体１２に、有線又は無線で外部接続されるものとして、表示部１３、ミキシングアンプ１４、マイク１５、スピーカ１６、遠隔入出力装置１７が接続される。
【００１７】
上記表示部１３は、通常の楽曲選曲表示やカラオケ演奏時の背景映像等を表示するもので、例えば液晶ディスプレイ（ＬＣＤ）、プラズマディスプレイ（ＰＤＰ）、その他種々のディスプレイを採用することができる。上記ミキシングアンプ１４は、カラオケ本体１２より送られてくる音楽演奏信号に、マイク１５からの音声信号をミキシングし、増幅してスピーカ１６より出力する。
【００１８】
上記遠隔入出力装置１７は、図示しない端末送受信部により、カラオケ本体１２に対して有線方式ないし無線方式（ＩＲ方式やブルートゥース（登録商標）機構のピコネット接続方式など）を利用してデータ授受を行うためのもので、少なくとも端末表示部１７Ａ及び選曲楽曲登録手段１７Ｂを適宜備える。
【００１９】
上記端末表示部１７Ａは、液晶ディスプレイ（ＬＣＤ）とタッチセンサとを積層して入出力用とし、表示されるアイコン等に対応して当該タッチセンサにより楽曲の選択などのデータを入力することができるＧＵＩのユーザインタフェース機能を有するものである。
【００２０】
選曲楽曲登録手段１７Ｂは楽曲を検索させ、選曲させるテーブルを備えるプログラムであり、選曲された楽曲は、後述のカラオケ本体１２における予約待ち行列（４１）に登録される。また、選曲時に、歌唱後に自己の歌唱に対する模範的な音声データの作成及び再生、又は、自己の歌唱を歌唱可能なピッチに移調した音声データの再生を選択させることの入力が可能な表示が選択手段として設けられ、選択された場合には選曲楽曲に付帯されて予約待ち行列に登録される。
【００２１】
上記カラオケ本体１２は、バス２０、中央制御部２１、ＲＯＭ２２、ＲＡＭ２３、映像表示制御手段２４、音楽演奏制御部２５、音源（シンセサイザ）２６、送受信部２７、Ａ／Ｄ変換部２８、記憶部２９、判定手段３０、修正手段３１、特定手段３２、移調手段３３及び演奏再生手段３４を備える。
【００２２】
上記ＲＡＭ２３には予約待ち行列４１、歌唱音声データ４２、演奏データ４３、判定結果４４及び基準模範音声データ４５の記憶領域が形成される。また、記憶部２９には、楽曲データベース（楽曲ＤＢ）５１、映像データベース（映像ＤＢ）５２及びリファレンスデータベース（リファレンスＤＢ）５３が記憶される。なお、上記各構成について、本発明の要旨と直接関連しない要素部分であっても、従前のカラオケシステムにおいても大部分が適用可能であることを示すために、構成要素の全体を説明する。
【００２３】
上記中央制御部２１は、このシステムを統括的に処理制御する物理的なＣＰＵであり、ＲＯＭ２２に記憶されているプログラムに基づくアルゴリズム処理を行う。上記ＲＡＭ２３は、予約待ち行列４１、歌唱音声データ４２、演奏データ４３、判定結果４４及び基準模範音声データ４５の記憶領域が形成される他に、上記種々のプログラムを展開、実行させるための作業領域としての役割をなすもので、例えば半導体メモリで構成され、仮想的にハードディスク上に構築される場合をも含む概念である。
【００２４】
上記映像表示制御手段２４は、演奏時に、映像ＤＢ５２より抽出された背景映像及び楽曲ＤＢ５１より抽出された楽曲の歌詞データを表示部１３に出力するプログラム乃至電子回路である。上記音楽演奏制御部２５は、例えばシーケンスプログラムを備え、楽曲ＩＤで楽曲ＤＢ５１より抽出された演奏データとしての音符データに従って音源（シンセサイザ）２６を駆動するもので、当該音源２６の出力は演奏信号としてミキシングアンプ１４に出力される。この音符データ（演奏データ）は、ＲＡＭ２３の演奏データ記憶領域４３に記憶される。
【００２５】
上記送受信部２７は、遠隔入出力装置１７との間で有線方式ないし無線方式（ＩＲ方式やブルートゥース（登録商標）機構のピコネット接続方式など）を利用してデータ授受を行うためのもので、そのための電子回路及びプログラムである。上記Ａ／Ｄ変換部２８は、マイク１５からミキシングアンプ１４をスルーした音声信号をデジタル変換するプログラムであり、デジタル変換された音声信号は歌唱音声データとしてＲＡＭ２３の歌唱音声データ記憶領域４２に記録される。当該Ａ／Ｄ変換部２８及び歌唱音声データ記憶領域４２により記録手段を構成する。
【００２６】
上記記憶部２９に記憶されている楽曲ＤＢ５１は、楽曲毎に、演奏データ（音符データ）、歌詞データを格納する。具体的には、楽曲ＩＤ、曲名及びアーチストＩＤ（アーチスト名）が関連付けられた楽曲テーブルを有し、楽曲毎に、楽曲ＩＤで管理される所定データ形式のカラオケ楽曲の音符データ（例えば、ＭＩＤＩ（登録商標）形式の音符データ）等で構成される楽曲データ（ファイル）について当該楽曲ＩＤをファイル名としてそれぞれ格納したデータベースである。
【００２７】
上記記憶部２９に記憶されている映像ＤＢ５２は、楽曲毎に応じた背景映像データについて楽曲ＩＤをファイル名としてそれぞれ格納したデータベースである。上記記憶部２９に記憶されているリファレンスＤＢ５３は、上記楽曲ＤＢ５１に記憶されているカラオケ楽曲と当該カラオケ楽曲の十分に小さな歌唱区間に合わせた歌唱者による歌唱を評価、分析するための評価基準として用いられるリファレンスデータとを紐付けて記憶するデータベースである。当該リファレンスデータには、楽曲毎に、少なくともノート番号とベロシティ（大きさ）に応じて歌唱すべきピッチを示すリファレンスピッチが含まれる。
【００２８】
なお、上記リファレンスＤＢ５３を備えることで、カラオケ装置１１においては、このリファレンスデータを用いて歌唱採点する採点手段を備えさせることとしてもよい。採点手段は、楽曲歌唱に対して楽曲の各歌唱区間毎に歌唱音声を分析して採点するもので、マイク１５からの音声信号がミキシングアンプ１４をスルーしてＡ／Ｄ変換部２８でデジタル変換された音声信号に対して楽曲データに含まれる歌唱採点するためのリファレンスデータに基づいて採点処理を行うプログラムであり、具体的には、例えば特許第４２２２９１５号公報に記載されている手法を用いることができる。
【００２９】
上記判定手段３０は、歌唱された楽曲に対し、上述のように十分に小さな歌唱区間毎に、上記記録した歌唱音声データの歌唱ピッチを検出し、対応のリファレンスデータをリファレンスＤＢ５３より抽出して対応する歌唱区間のノートの歌唱ピッチと比較してピッチ差分を算出し、ピッチ差分が許容範囲内か否かにより各歌唱区間の歌唱ピッチが要修正か修正不要かを判定するプログラムである（詳細は図２で説明する）。この場合の判定結果はＲＡＭ２３の判定結果記憶領域４４に記憶される（図５で説明する）。
【００３０】
上記修正手段３１は、判定手段３０による該当歌唱区間の要修正の歌唱ピッチを当該判定手段３０で抽出したリファレンスデータに基づいて修正した基準模範音声データを作成するプログラムであり、作成された基準模範音声データはＲＡＭ２３の基準模範音声データ記憶領域４５に記憶される。
【００３１】
上記特定手段３２は、一の手法として、判定結果に基づいて、当該楽曲の全歌唱区間のうち最も高いリファレンスピッチに対応する歌唱音声データの歌唱ピッチが要修正である場合に、当該リファレンスピッチに対応する歌唱音声データの歌唱ピッチを歌唱者の歌唱可能な歌唱上限ピッチとして特定するプログラムである。（図４及び図５で説明する）
【００３２】
また、他の手法として、当該楽曲の全歌唱区間のうち最も高いリファレンスピッチに対応する歌唱音声データの歌唱ピッチが要修正である場合に、当該判定結果による修正不要の歌唱ピッチのうち最も高い歌唱ピッチを歌唱者の歌唱可能な歌唱上限ピッチとして特定するプログラムとする（図６及び図７で説明する）。
【００３３】
上記移調手段３３は、歌唱された楽曲について、判定手段３０による判定結果及び修正手段３１で作成した基準模範音声データをＲＡＭ２３の判定結果記憶領域４４及び基準模範音声データ記憶手段４５より読み出し、判定結果より得られる当該歌唱楽曲の全歌唱区間のうち最も高いリファレンスピッチと特定手段３２で特定した歌唱上限ピッチとのピッチ差分に基づいた半音単位の移調量で基準模範音声データの全歌唱区間を低い方に移調して移調模範音声データを作成するプログラムである（図４及び図５で説明する）。なお、上記低い方に移調する移調量には移調量「ゼロ」を含む概念である（この点についても図４及び図５で説明する）。
【００３４】
また、移調手段３３は、さらに、読み出した歌唱音声データの対応楽曲の全歌唱区間を上記移調量で移調すると共に、演奏再生手段３４に対して当該楽曲の演奏データを当該移調量で移調して再生するよう制御するプログラムを備える。
【００３５】
上記演奏再生手段３４は、楽曲の演奏データを所定の移調量で移調して再生（音楽演奏制御部２５に出力）するプログラムであり、当該移調量は移調手段３３より制御される。
【００３６】
そこで、図２に、図１の判定手段の処理フローチャート及び判定結果の説明図を示す。図２（Ａ）において、所定楽曲の歌唱後に、当該楽曲で歌唱されてＲＡＭ２３の歌唱音声データ記憶領域４２に記録した歌唱音声データを取得すると共に、リファレンスＤＢ５３より対応のリファレンスデータを取得し（ステップ１（Ｓ１））、歌唱区間毎に歌唱した歌唱音声データの歌唱ピッチを検出する（Ｓ２）。
【００３７】
続いて、歌唱区間毎の検出した各歌唱ピッチとリファレンスデータの対応する歌唱区間のピッチ（リファレンスピッチ）とを比較してピッチ差分を算出する（Ｓ３）。ここで、ピッチ差分の許容範囲を、例えば±１０ｃｅｎｔ未満として、当該算出したピッチ差分が許容範囲か否かを判定する（Ｓ４）。許容範囲を超えていれば要修正（「ＮＧ」）とし（Ｓ５−１）、許容範囲内であれば修正不要（「ＯＫ」）と判定する（Ｓ５−２）。そして、これらの判定を全歌唱区間で処理する（Ｓ６）。
【００３８】
なお、上記判定手段３０による判定結果においては、歌唱する当該楽曲のどこかで一度でも歌唱すべき正しいピッチで歌唱できている（リファレンスピッチとの差分が許容範囲内でピッチ判定結果が「ＯＫ」である）ノートについては、歌唱可能つまり歌唱上限ノート以下であるとみなしている。また、同一ノートが複数回判定された場合には、それぞれの差分のうち最も小さかった差分としている。
【００３９】
上記判定手段３０による判定結果を、図２（Ｂ）に一例として示す。図２（Ｂ）は、歌唱すべきノートのうち最高ノート「Ｇ５」から高い順に、例えば５つのノートのピッチ差分及び判定結果を示している。なお、ＭＩＤＩ機器においては、ピアノの鍵盤（８８鍵）の中央の「ド」を「Ｃ４」として、最高音の鍵盤「ド」を「Ｃ８」、最低音の鍵盤「ラ」を「Ａ０」と表すのが普通である。また、判定結果には、図示しないが、判定対象となったリファレンスピッチ及び歌唱ピッチの値が付帯される。
【００４０】
また、図３に、図１の特定手段の処理フローチャートを示す。上記特定手段３２は、図３において、ＲＡＭ２３より当該歌唱楽曲の判定手段３０による判定結果を読み出し、まず、歌唱楽曲の全歌唱区間のうち最も高いピッチ（リファレンスピッチ）に対応する歌唱音声データの歌唱ピッチの判定結果を参照する（Ｓ１１）。当該判定結果が、修正不要の場合には（Ｓ１２）、修正手段３１で作成した基準模範音声データは移調しないものとして終了する。
【００４１】
一方、要修正の場合には（Ｓ１２）、歌唱楽曲の全歌唱区間のうち最も高いリファレンスピッチに対応する歌唱音声データのピッチを、歌唱者の歌唱可能な歌唱上限ピッチとして特定する（Ｓ１３）。すなわち、図２（Ｂ）に示される判定結果から、歌唱楽曲の全歌唱区間のうち最も高いリファレンスピッチ（ノート番号「Ｇ５」のピッチ）と、対応する歌唱音声データの歌唱ピッチとのピッチ差分が「−３０ｃｅｎｔ」であって、ピッチ判定が「ＮＧ」であり要修正であることから、当該歌唱音声データの歌唱ピッチ（ノート番号「Ｇ５」のピッチから３０ｃｅｎｔを差し引いたピッチ）が歌唱者の歌唱可能な歌唱上限ピッチとして特定される。
【００４２】
なお、上記歌唱上限ピッチの特定は、ノート番号「Ｇ５」において「−３０ｃｅｎｔ」で歌唱できたということは、「Ｇ５」より１半音（１００ｃｅｎｔ）低い「Ｆ＃５」以下は問題なく歌唱できるはずであるというものであり、ノート番号「Ｆ５」と「Ｅ５」のピッチ判定が「ＮＧ」であっても、これらの判定と歌唱上限ピッチとは無関係であるという考え方に基づくものである。
【００４３】
そこで、図４に図１の移調手段の処理フローチャートを示すと共に、図５に図４の移調手段の処理説明図を示す。図４において、移調手段３３は、判定手段３０による判定結果をＲＡＭ２３の判定結果記憶領域４４より読み出す（Ｓ２１）。読み出した判定結果から、特定手段３２で特定された歌唱上限ピッチ、すなわち全歌唱区間で最も高いリファレンスピッチに対応する歌唱音声データの歌唱ピッチのピッチ差分に基づいて移調量を決定する（Ｓ２２）。すなわち、図５に示すように、全歌唱区間で最も高いノート番号「Ｇ５」のリファレンスピッチと対応する歌唱音声データの歌唱ピッチとのピッチ差分を「−３０ｃｅｎｔ」を得、これに基づいて当該ピッチ差分を包含する移調量として１半音の「１００ｃｅｎｔ」と決定する。
【００４４】
そして、決定した移調量で、修正手段で修正した基準模範音声データを、全歌唱区間を低い方に移調して移調模範音声データを作成する（Ｓ２３）。すなわち、図５に示すように、基準模範音声データの全歌唱区間を決定した１半音（１００ｃｅｎｔ）で低い方に移調（最高ノート番号が「Ｆ＃５」になるように移調）して移調模範音声データを作成する。換言すれば、１半音（１００ｃｅｎｔ）下に移調することにより、歌唱すべき最高ノートは「Ｆ＃５」となることから、「ＮＧ」だった最高ノートのピッチを修正しても、修正後のピッチが歌唱者の歌唱上限ピッチを超えることはなく、歌唱者にとって歌唱可能な移調模範音声データとして有用となるものである。
【００４５】
なお、ノート番号「Ｇ５」と対応歌唱ピッチとのピッチ差分が、例えば「−１１０ｃｅｎｔ（ＮＧ）」であった場合には、最高ノート番号が「Ｆ＃５」になるように移調しても理論上「−１０ｃｅｎｔ」が限界となって正しいピッチで歌唱できないこととなり、最高ノート番号が「Ｆ５」になるように、２半音（２００ｃｅｎｔ）下に移調することとなる。
【００４６】
ところで、この場合の低い方に移調する移調量には移調量「ゼロ」が含まれる。例えば、最高ノートの歌唱ピッチとリファレンスピッチのピッチ差分がプラスで「ＮＧ（要修正）」だった場合には、歌唱ピッチを下げる方向に修正するので修正後も歌唱上限以下となり、移調は不要（移調量「ゼロ」）となる。したがって、実質上は、最も高いリファレンスピッチと歌唱上限ピッチとのピッチ差分がマイナスとなるピッチ差分に基づいた半音単位の移調量で、基準模範音声データの全歌唱区間を低い方に移調することとなる。
【００４７】
次に、図６に図１の特定手段の他の処理フローチャートを示すと共に、図７に図６の処理に基づく移調手段の処理説明図を示す。上記特定手段３２は、図６において、ＲＡＭ２３より当該歌唱楽曲の判定手段３０による判定結果を読み出し、まず、歌唱楽曲の全歌唱区間のうち最も高いピッチ（リファレンスピッチ）に対応する歌唱音声データの歌唱ピッチの判定結果を参照する（Ｓ３１）。当該判定結果が、修正不要の場合には（Ｓ３２）、修正手段３１で作成した基準模範音声データは移調しないものとして終了する。
【００４８】
一方、要修正の場合には（Ｓ３２）、歌判定結果による修正不要の歌唱ピッチのうち最も高い歌唱ピッチを歌唱者の歌唱可能な歌唱上限ピッチとして特定する（Ｓ３３）。すなわち、図７（図２（Ｂ）と同じ）に示される判定結果から、修正不要の歌唱ピッチのうち最も高い歌唱ピッチが歌唱上限ピッチとして特定され、ノート番号「Ｄ５」が移調量決定の対象となる。
【００４９】
なお、上記歌唱上限ピッチの特定は、「Ｇ５」が「−３０ｃｅｎｔ」で歌唱できたにも関わらず、一度も「Ｆ５」や「Ｅ５」を歌唱すべき正しいピッチで歌唱できていない、すなわちリファレンスピッチとの差分が許容範囲外でピッチ判定結果が「ＮＧ」であるということは、少なくとも当該楽曲のメロディを歌唱する上で、「Ｄ＃５」以上のノートでは正しいピッチで歌唱することが困難であり、「Ｄ５」が正しいピッチで歌唱できるノートの上限であるという考え方に基づくものである。
【００５０】
そこで、移調手段３３は、図７に示すように、判定結果から、特定手段で特定した歌唱上限ピッチのピッチ値と、全歌唱区間中で最も高いリファレンスピッチのピッチ値とのピッチ差分を算出し、ピッチ差分に応じた半音単位としてノート「Ｇ５」からの「Ｄ５」まで低くする５半音の移調量「５００ｃｅｎｔ」を決定する。
【００５１】
そして、決定した移調量で、修正手段で修正した基準模範音声データを、全歌唱区間を低い方に移調して移調模範音声データを作成する。すなわち、図７に示すように、「５半音（５００ｃｅｎｔ）」下に移調することにより、歌唱すべき最高ノートは「Ｄ５」となり、「ＮＧ」だったノートの修正後のピッチはいずれも歌唱者の歌唱上限ピッチ（ノート「Ｄ５」のピッチ）を超えることはなく、歌唱者にとって歌唱可能な移調模範音声データとして有用となるものである。
【００５２】
ところで、上記遠隔入出力装置１７の選曲楽曲登録手段１７Ｂでは、選曲時に、歌唱後に自己の歌唱に対する模範的な音声データの作成及び再生、又は、自己の歌唱を歌唱可能なピッチに移調した音声データの再生を選択させることの入力が可能な表示が選択手段として設けられている。例えば、移調模範音声データ及び移調された演奏データの再生が選択された場合、移調手段３３は作成した移調模範音声データを音楽演奏制御部２５に出力すると共に、演奏再生手段３４に対して上記決定した移調量で当該楽曲の演奏データを移調するように制御し、演奏再生手段３４は当該楽曲の演奏データをＲＡＭ２３の演奏データ記憶領域４３より読み出して移調手段３３より指示された上記移調量で移調して音楽演奏制御部２５に出力することで再生される。
【００５３】
また、移調された歌唱音声データ及び演奏データの再生が選択された場合、移調手段３３は歌唱音声データを歌唱音声データ記憶領域４２より読み出して上記移調量で移調して音楽演奏制御部２５に出力すると共に、演奏再生手段３４に対して上記決定した移調量で当該楽曲の演奏データを移調するように制御し、演奏再生手段３４は当該楽曲の演奏データをＲＡＭ２３の演奏データ記憶領域４３より読み出して移調手段３３より指示された上記移調量で移調して音楽演奏制御部２５に出力することで再生されるものである。
【００５４】
すなわち、利用者に対して修正前後の自己の歌唱と歌唱可能な模範歌唱との聴き比べを可能とし、その際に自己の音声かつ歌唱可能な声域で再生することから、利用者の便に資することができるものである。
【００５５】
上述のように、修正後の基準模範音声データの最高ノートのピッチが歌唱者の上限のピッチを超えないような移調模範音声データとさせることから、歌唱者による一度の歌唱で、歌唱者自身の声による模範音声データを歌唱者の声域で歌唱可能に提供することができるものである。
【産業上の利用可能性】
【００５６】
本発明のカラオケ装置は、歌唱者の歌唱に対する模範的な歌唱音声データを生成して提供する手段を備える装置の製造、使用の産業に利用可能である。
【符号の説明】
【００５７】
１１            カラオケ装置
１２            カラオケ本体
１７            遠隔入出力装置
２５            音楽演奏制御部
２８            Ａ／Ｄ変換部
３０            判定手段
３１            修正手段
３２            特定手段
３３            移調手段
３４            演奏再生手段
４４            判定結果記憶領域
４５            基準模範音声データ記憶領域
５３            リファレンスデータベース
【図１】
0006316112.tif 000002
【図２】
0006316112.tif 000003
【図３】
0006316112.tif 000004
【図４】
0006316112.tif 000005
【図５】
0006316112.tif 000006
【図６】
0006316112.tif 000007
【図７】
0006316112.tif 000008